(57)【特許請求の範囲】
【請求項１】
画板または天板を載置するイーゼルであって、
棒形状の複数のイーゼル脚と、
該イーゼル脚の中心軸に対し垂直で、且つ所定の位置に貫通させた複数の通し孔と、
該通し孔に挿入して前記イーゼル脚を連結する線材で形成された複数の棒バネと、
前記複数のイーゼル脚の中央部分を拘束する中心拘束部材とを有し、
前記複数のイーゼル脚を展開する際、前記複数の棒バネが凸状に湾曲することにより前記複数のイーゼル脚が相互に連結固定されることを特徴とするイーゼル。
【請求項２】
前記中心拘束部材は、前記複数のイーゼル脚を束ね拘束する固定クランプと、前記複数のイーゼル脚が展開する際、その展開角度を任意の角度に制限する開口制限リングとを有することを特徴とする請求項１記載のイーゼル
【請求項３】
前記複数のイーゼル脚は、貫通した前記複数の通し孔を覆うように密着し、該通し孔に挿入される前記複数の棒バネを挟み込んで拘束する固定バネが嵌合されていることを特徴とする請求項１または請求項２記載のイーゼル。
【請求項４】
前記複数のイーゼル脚は、その長さを延長するため前記イーゼル脚の端部に連結する延長手段を更に有することを特徴とする請求項１乃至３のいずれか１項に記載のイーゼル。
【請求項５】
前記天板上に美術工芸品を載置、または前記複数のイーゼル脚を連結固定する前記複数の棒バネに絵画、パネルまたは宝飾品を吊下げることを特徴とする請求項１乃至４のいずれか１項に記載のイーゼル。
【発明の詳細な説明】
【技術分野】
【０００１】
本発明はスケッチに使用するイーゼルであって、中央部分が拘束された複数のイーゼル脚を展開してスケッチブックやカンバス等の画板を載置、または絵画や彫刻、宝飾品等の美術工芸品を飾る台座として使用することが可能な、軽量で簡単に組み立て収納ができる汎用性を有するイーゼルに関する。
【背景技術】
【０００２】
従来、野外でスケッチを行う際、スケッチブックやカンバス、携帯用イーゼル等を運搬し、気に入った場所で携帯用イーゼルを組み立て、その上にスケッチブックやカンバス等の画板を載置しスケッチを行う。そのため携帯用イーゼルには、小型軽量で簡単に組み立てられる性能が求められているが、市販されている木製の携帯用イーゼルを持ち運ぶには重量や形状が大き過ぎて不便であるため、その代用としてカメラ用三脚等が良く利用される。
【０００３】
例えば図６に示すようにイーゼルを軽量化するため、画板１０１の裏面に薄い鉄板１０２を設け、カメラ用三脚１１２の雲台１０７には磁石を取り付けた画板支持台を設けて画板の鉄板を吸着させ、雲台１０７のハンドル１１３を操作して画板１０１の角度を調整できるスケッチ用イーゼル画板セットが開示されている（例えば、特許文献１を参照）。
【先行技術文献】
【特許文献】
【０００４】
【特許文献１】実用新案登録３１３９４６２号公報
【発明の概要】
【発明が解決しようとする課題】
【０００５】
しかし、従来の携帯用イーゼルは、携帯するには重量が重過ぎて形状も大きく気軽に持ち運ぶことができない問題がある。
【０００６】
また、カメラ用の三脚を利用したイーゼルでもその重量と大きさに不便さがあり、雲台の角度調整用ハンドルが画板の裏側に位置するため、簡単に画板の角度の微調整ができない問題がある。
【０００７】
本発明は以上の問題点に着目し成されたもので、水彩等を使ったスケッチを気軽に野外で行えるように、特に問題となるイーゼルの重量を軽量化し、何処でも簡単に組み立てが可能で、中央部分が拘束された複数のイーゼル脚を一葉双曲面状に展開して、スケッチブックやカンバス等の画板を安定して載置することができ、また収納する際の形状が傘を閉じたような棒状となることで場所を取らずに収納できる軽量のイーゼルを提供することを目的とする。
【０００８】
また、中央部分が拘束されたイーゼルの構造を利用して、展開したイーゼル脚を相互に連結固定する棒バネに、ポスターや絵画等のパネルまたは宝飾品を吊下げて展示する広告台、或いは天板を載置して造花や生け花等を入れる花瓶や彫刻等の美術工芸品を置く台座として利用可能な汎用性を有するイーゼルを提供することを目的とする。
【課題を解決するための手段】
【０００９】
本発明は上述の目的を達成するため、以下（１）〜（５）の構成を備えるものである。
【００１０】
（１）画板または天板を載置するイーゼルであって、棒形状の複数のイーゼル脚と、該イーゼル脚の中心軸に対し垂直で、且つ所定の位置に貫通させた複数の通し孔と、該通し孔に挿入して前記イーゼル脚を連結する線材で形成された複数の棒バネと、前記複数のイーゼル脚の中央部分を拘束する中心拘束部材とを有し、前記複数のイーゼル脚を展開する際、前記複数の棒バネが凸状に湾曲することにより前記複数のイーゼル脚が相互に連結固定されることを特徴とするイーゼル。
【００１１】
（２）前記中心拘束部材は、前記複数のイーゼル脚を束ね拘束する固定クランプと、前記複数のイーゼル脚が展開する際、その展開角度を任意の角度に制限する開口制限リングとを有することを特徴とする前記（１）記載のイーゼル。
【００１２】
（３）前記複数のイーゼル脚は、貫通した前記複数の通し孔を覆うように密着し、該通し孔に挿入される前記複数の棒バネを挟み込んで拘束する固定バネが嵌合されていることを特徴とする前記（１）または（２）記載のイーゼル。
【００１３】
（４）前記複数のイーゼル脚は、その長さを延長するため前記イーゼル脚の端部に連結する延長手段を更に有することを特徴とする前記（１）乃至（３）のいずれか１項に記載のイーゼル。
【００１４】
（５）前記天板上に美術工芸品を載置、または前記複数のイーゼル脚を連結固定する前記複数の棒バネに絵画、パネルまたは宝飾品を吊下げることを特徴とする前記（１）乃至（４）のいずれか１項に記載のイーゼル。
【発明の効果】
【００１５】
本発明によれば、水彩等を使ったスケッチを気軽に野外で行えるように、特に問題となるイーゼルの重量を軽量化し、何処でも簡単に組み立て収納が可能で、中央部分が拘束された複数のイーゼル脚を一葉双曲面状に展開して、スケッチブックやカンバス等の画板を安定して載置できる。また載置した画板の角度が簡単に調整できるイーゼル脚の延長機能を有し、収納する際の形状が棒状になるため、場所を取らず携帯に便利な小型軽量のイーゼルを提供することができる。
【００１６】
また、中央部分が拘束されたイーゼルの構造を利用して、展開したイーゼル脚を相互に連結固定する棒バネに、ポスターや絵画等のパネルまたは宝飾品を吊下げて展示する広告台、或いは天板を載置して造花や生け花を入れる花瓶や彫刻等の美術工芸品を置く台座として利用可能な汎用性を有するイーゼルを提供することができる。
【図面の簡単な説明】
【００１７】
【図１】（ａ）本実施例に係るイーゼルを一葉双曲面状に展開した斜視図、（ｂ）イーゼルを収納した状態を示す図
【図２】（ａ）固定クランプの機能図、（ｂ）固定クランプの平面図、（ｃ）開口制限リングの断面図、（ｄ）開口制限リングの平面図、（ｅ）調整機能付き開口制限リング正面図、（ｆ）調整機能付き開口制限リングの平面図
【図３】（ａ）イーゼルの棒バネと固定バネの機能を説明するための図、（ｂ）棒バネの機能図、（ｃ）固定バネの機能図、（ｃ）イーゼル脚と棒バネの展開操作を示す図
【図４】本実施例に係るイーゼルの追加機能を示す図
【図５】（ａ）イーゼルの追加機能の使用例を示す図、（ｂ）イーゼルを宝飾用台座として利用した例を示す図、（ｃ）イーゼルを広告用台座として利用した例を示す図
【図６】従来のイーゼルの斜視図
【発明を実施するための形態】
【００１８】
以下、本発明を実施するための形態を、図面に基づいて詳しく説明する。
【実施例１】
【００１９】
図１は本実施例に係るイーゼル１０の構成で、複数のイーゼル脚１，２，３の中央部分を中心拘束部材で拘束し一葉双曲面状に展開した状態と、イーゼル１０を収納した状態を示す構成図である。説明を簡単にするため、イーゼル１０を構成するイーゼル脚の形状と脚数は、断面が円形のパイプ材からなる三本脚で説明する。
【００２０】
尚、イーゼルを構成するイーゼル脚は、画板のサイズや美術工芸品を飾る等の用途により三本脚や四本脚等と三本以上の複数脚で構成されるため、脚数は本発明を限定するものではない。また、イーゼル脚の形状も断面が円形または多角形の棒材で形成され、使用される材質は木材、軽量なアルミ等の金属材、ポリカーボネイト樹脂等のプラスチック材、カーボン樹脂等で作成されている。軽量化のためパイプ材を使用場合には、強度を高めるためパイプの中に芯材を挿入しても良く、そのためイーゼル脚の形状及び材質は、用途により形や使用する材質も多様であり本発明を制限するものではない。
【００２１】
図１（ａ）に示すように展開したイーゼル１０を構成する棒形状のイーゼル脚１，２，３には、必要に応じて地面に接する端部には石突き９が取り付けられ、他方の端部には画板８０の裏面を支える弾力を備えた保護キャップ７が取り付けられている。イーゼル脚１，２，３を拘束する中心拘束部材は、イーゼル脚１，２，３を束ねて拘束する弾性材で形成された固定クランプ２０と、一葉双曲面状に展開するイーゼル脚１，２，３の展開角度を制限する開口制限リング２１からなる。中心拘束部材はイーゼル脚１，２，３の軸方向に移動可能に係止され、載置される画板８０の傾斜やサイズに合わせて拘束する位置を任意に変更することができる。開口制限リング２１の取り付け位置は、固定クランプ２０の上側または下側のいずれの位置に設置しても良い。
【００２２】
夫々のイーゼル脚１，２，３には、保護キャプ７側の上部先端の所定位置の二箇所に、イーゼル脚の中心軸に対し直角に貫通させた通し孔４，５，６が設けられている。上部先端から通し孔までの間隔は、保護キャップ７と後述する載置金具（図４記載）の取り付け幅を考慮して決める必要がある。
【００２３】
中央部分を中心拘束部材で拘束されたイーゼル脚１，２，３は、固定クランプ２０を境に二つの三角錐が対向した一葉双曲面を構成し、上部三角錐の各辺を構成する棒バネ３０，３１，３２の長辺が、通し孔４，５，６に挿入されて水平方向に渡されている。水平方向に渡された棒バネ３０，３１，３２は、傾斜したイーゼル脚に直角に貫通された通し孔４，５，６に拘束され凸状に湾曲する。棒バネ３０，３１，３２と通し孔４，５，６との接合部には、棒バネ３０，３１，３２の湾曲されることで生じる抗力により、イーゼル脚１，２，３の移動を制限して係止する摩擦力が発生する。
【００２４】
その結果、スケッチブック等の画板８０のサイズに合わせてイーゼル脚１，２，３の展開角度を固定することが可能で、また夫々のイーゼル脚１，２，３は単独に軸方向へ移動させることが可能で、画板８０の載置する角度を自由に調整できる。
【００２５】
例えばイーゼル１０に載置されたスケッチブック等の画板８０を傾斜させたい場合、図１（ａ）に示すイーゼル脚１，２の保護キャップ７ａ，７ｂと画板８０との当接部を、画板８０ごと下方に押すことでイーゼル脚１，２が押し下げられてイーゼル脚３側が高くなり、イーゼル１０を傾斜させることができる。
【００２６】
棒バネ３０，３１，３２は、直線状またはＬ字形状に形成された弾性を持つ鋼線やカーボン、プラスチック等の線材で作成され、その両端には安全性と外れ防止、及び牽引する際に便利なように牽引リング３０ａ，３０ｂ，３１ａ，３１ｂ，３２ａ，３２ｂが設けられている。棒バネ３０，３１，３２は湾曲させると、バネ材の弾性により強い反発力が発生し、この反発力が通し孔４，５，６との接合部の抗力になる。
【００２７】
また、イーゼル脚１，２，３の移動を制限し係止する効果を更に高める方法として、イーゼル脚１，２，３の通し孔４，５，６を覆うように密着コイルバネで形成された固定バネ８ａ，８ｂ，８ｃが嵌合されている。水平に渡された棒バネ３０，３１，３２と通し孔４，５，６との接続部分では、棒バネ３０，３１，３２を固定バネ８ａ，８ｂ，８ｃのバネ線の間に挟み込むことでバネ線の復元力が働いて棒バネ３０，３１，３２を上下から圧接し、水平方向の動きを拘束する抗力となる。
【００２８】
図１（ｂ）は収納した状態のイーゼル１０で、Ｌ字状の棒バネ３０，３１，３２の短辺部にイーゼル脚１，２，３との連結部を集め、束ねたイーゼル脚１，２，３に棒バネ３０，３１，３２の長辺部を沿わせ開口制限リング２１の間に係止、または輪ゴムや面ファスナ等で束ねることで丁度雨傘を閉じたような棒状に収納することができる。直線状の棒バネ３０，３１，３２の場合は、イーゼル脚１，２，３を棒バネの一方の端部に集めて束ね、長く飛び出た棒バネを湾曲させ他方の端部を輪ゴムや面ファスナ等でイーゼル脚１，２，３と共に係止して収納する。
【００２９】
尚、イーゼル脚の通し孔を穿孔する位置は、イーゼル脚下部の石突き側に穿孔して棒バネを挿入した構成、またはイーゼル脚の上下両端部に穿孔して棒バネを挿入した構成であっても良い。
【００３０】
図２に示すイーゼル１０の中心拘束部材を構成する固定クランプ２０と、開口制限リング２１，２２の機能について説明する。固定クランプ２０と開口制限リング２１，２２は、イーゼル脚１，２，３の中央部分を拘束して一葉双曲面状に展開させ、その展開角度を制限しイーゼル１０の展開を安定させる拘束部材である。
【００３１】
図２（ａ）、図２（ｂ）は固定クランプ２０の正面図と平面図で、円環状の固定クランプ２０は、引張コイルバネの一種である密着コイルバネを円環状に曲げ、密着コイルバネの両端部に設けられた連結部２０ａを接続し、形成された円環の中にイーゼル脚１，２，３を嵌入する構造である。イーゼル脚１，２，３を嵌入することで、引き伸ばされた密着コイルバネが元に戻ろうとする復元力を、イーゼル脚１，２，３を締め付ける拘束力Ｆとして利用する構造となっている。
【００３２】
中央部分を拘束された棒状のイーゼル脚１，２，３は、一葉双曲面状に展開し、取り付けられた固定クランプ２０の強い拘束力Ｆの働きで、展開したイーゼル脚１，２，３が簡単にずれ落ちることがない。また固定クランプ２０の拘束位置を上下に移動させることで、一葉双曲面状に展開したイーゼル脚１，２，３の上部に形成される載置面の広さを変えることができる。尚、固定クランプ２０を形成する弾性材は、上述した引張コイルバネの他にオーリング等のゴムや樹脂で形成しても良い。
【００３３】
また、束ねたイーゼル脚１，２，３のずれ落ち防止策として、イーゼル脚１，２，３と固定クランプ２０との間の摩擦を強めるため、夫々のイーゼル脚１，２，３の外側に樹脂製のカバーを取り付けて密着度を高めても良く、取り付けられた樹脂製のカバーはイーゼル脚１，２，３が擦れ合って傷付くのを防ぐ保護機能も備えている。
【００３４】
図２（ｃ）、図２（ｄ）は開口制限リング２１の断面図と平面図である。開口制限リングの構造は、イーゼル脚と当接する円環状に形成された弾性材２１ｂと直径を固定する連結帯２１ａから構成されている。円環状に形成された開口制限リング２１は、内側に弾力のあるバネや樹脂、ゴム等の弾性材２１ｂと、該弾性材２１ｂの外側に嵌合され直径を固定する円環状の金属製または硬質樹脂製の連結帯２１ａで構成されている。
【００３５】
イーゼル脚１，２，３が固定クランプ２０を中心に一葉双曲面状に展開する際、開口制限リング２１の連結帯２１ａで直径を固定することで、展開するイーゼル脚１，２，３の外側に傾く展開角度を制限するものである。
【００３６】
但し、イーゼル脚の展開角度が固定された開口制限リング２１であっても、イーゼル脚１，２，３を拘束する固定クランプ２０と共に上下に拘束位置を移動させることで、イーゼル脚１，２，３に載置されるスケッチブック等の画板８０のサイズに合わせて、載置面の広さを変えることができる。例えば上方に拘束位置を移動すれば画板８０の載置面は狭くなり、接地面が広くなる。
【００３７】
図２（ｅ）、図２（ｆ）は、開口制限リングの直径を調整可能にした構造の調整機能付き開口制限リング２２で、弾性材２２ａにバネ線の間隔が開いた圧縮コイルバネを使い、該圧縮コイルバネの中を円環状に取り付けられた金属製或いは樹脂製の連結帯２３ｂと、該連結帯２３ｂの長さを変更することができる調整ノブ２３ａを有する調整金具２３から構成されている。調整ノブ２３ａを回すことで連結帯２３ｂの長さを縮めて圧縮コイルバネを圧縮し、開口制限リング２２の直径を変更することで、一葉双曲面状に展開するイーゼル脚１，２，３の展開角度を変えることができる。
【００３８】
調整機能付き開口制限リング２２は、サイズの異なるスケッチブック等の画板８０を載置する際、イーゼル脚１，２，３を拘束する固定クランプ２０と開口制限リング２２の拘束位置を変えることなく、調整機能付き開口制限リング２２の直径を変更することでスケッチブック等の画板８０のサイズに合わせてイーゼル脚１，２，３の展開角度を調整することができる。
【００３９】
図３に示す展開したイーゼル１０で、棒バネ３０，３１，３２と通し孔４，５，６及び固定バネ８ａ，８ｂ，８ｃの係止機能について説明する。
【００４０】
図３（ａ）に示すように、イーゼル脚１，２，３の先端部の所定の位置には、夫々のイーゼル脚１，２，３に穿孔された通し孔４ａ，４ｂ，５ａ，５ｂ，６ａ，６ｂを介して凸状に湾曲した棒バネ３０，３１，３２が渡されている。また夫々のイーゼル脚１，２，３の通し孔４，５，６を覆うように密着して取りつかられた固定バネ８ａ，８ｂ，８ｃは、固定バネ８のバネ線の間に棒バネ３０，３１，３２を挟み込む構造で設置される。
【００４１】
図３（ｂ）に示すイーゼル脚１と棒バネ３０との係止機能は、展開したイーゼル脚１が傾斜する際、イーゼル脚１の中心軸に直角に貫通されている通し孔４ａと、該通し孔４ａに挿入された棒バネ３０との接合部には、隣り合うイーゼル脚１，２が傾くことで水平に連結された棒バネ３０を折り曲げる力が加わり棒バネ３０を凸状に湾曲させる。傾斜した通し孔４ａには、湾曲した棒バネ３０を元の状態に戻そうとする棒バネ３０の反発力による抗力が加わる。イーゼル脚１を移動させる際、この抗力により生じる摩擦力がイーゼル脚１の移動を妨げる係止機能を発揮する。また、同じ構造の棒バネ３２と通し孔４ｂにも同様の抗力が発生し、イーゼル脚１の移動を妨げる係止機能を発揮するため、任意の位置にイーゼル脚１を固定することができる。
【００４２】
図３（ｃ）に示すイーゼル脚１に嵌合された固定バネ８ａは、上述したイーゼル脚１の通し孔４ａ，４ｂと凸状に湾曲した棒バネ３０，３２の反発力による係止機能を、更に補強する構成となっている。密着コイルバネで形成された固定バネ８ａと、そのバネ線の間を押し広げて挿入された棒バネ３０には上下方向から密着コイルバネのバネ線が元の状態に戻ろうとする復元力が抗力となって常に加わった状態となり、この抗力により生じる摩擦力がイーゼル脚１の水平方向への移動を妨げる係止機能を発揮する。また、同じイーゼル脚１の通し孔４ｂに通された棒バネ３２と固定バネ８ａの間にも同様に密着コイルバネの抗力が発生しているため、イーゼル脚１の水平方向への移動を妨げる係止機能を発揮する。
【００４３】
他のイーゼル脚２，３でも同様で、凸状に湾曲した棒バネ３１，３２と通し孔５，６及び固定バネ８ｂ，８ｃの接点部には同様の抗力が働いているため、イーゼル１０を展開する際にイーゼル脚１，２，３と湾曲した棒バネ３０，３１，３２の間には、水平方向への移動を妨げる強い摩擦力が生じるため、イーゼル脚を棒バネの任意の位置で係止することができる。
【００４４】
図３（ｄ）に示すイーゼル脚１，２の展開操作で説明すると、イーゼル脚１，２を左右に展開する際、イーゼル脚１，２の通し孔４ａ，５ａと湾曲した棒バネ３０との接合部の摩擦力と、棒バネ３０を挟み込んだ固定バネ８ａの摩擦力とが合成されて移動を妨げる強い摩擦力Ｇが発生し、該摩擦力Ｇの働きでイーゼル脚１，２を左右に展開して任意の位置で相互に連結固定できる強い係止機能が働く。
【００４５】
他の棒バネ３１，３２でも同様の摩擦力Ｇが発生するため、イーゼル脚１，２，３を棒バネ３０，３１，３２上の任意の位置で係止し、展開したイーゼル脚１，２，３を相互に連結固定できる強い係止機能を発揮する。
【００４６】
この摩擦力Ｇの発生は、棒バネ３０，３１，３２の太さと反発力、また固定バネ８ａ，８ｂ，８ｃの弾性力により決まり、イーゼル１０を展開／収納する際の操作性に大きく影響する。棒バネ３０，３１，３２の反発力と、固定バネ８の弾性力による摩擦力Ｇが弱過ぎると、展開／収納する際の操作性は良くなるが、イーゼル１０を展開して重量のあるスケッチブック等の画板８０を載置した際、イーゼル脚１，２，３が不用意に広がり安定性が悪くなる。逆に棒バネ３０，３１，３２と固定バネ８による摩擦力Ｇが強過ぎると、展開／収納する際の操作性が悪くなるが、イーゼル１０を展開して重量のあるスケッチブック等の画板８０を載置した際の安定性は良くなる。
【００４７】
従って、この棒バネ３０，３１，３２の太さや反発力と、固定バネ８ａ，８ｂ，８ｃの弾性力を、載置する画板８０のサイズや重量等に合わせて適切に選択すれば、操作性と安定性の両方を満足するイーゼル１０が提供できる。
【００４８】
例えば、イーゼル脚１，２，３には直径が６〜１０ｍｍ、長さ４０〜６０ｃｍのアルミパイプ材を使用、棒バネ３０，３１，３２には直径１〜２ｍｍで反発力が約０．５ｋｇのステンレス鋼線材を使用、固定バネ８には弾性力が１〜２ｋｇの密着コイルバネを使用して作成した結果、操作性と安定性の両方を満足できるイーゼル１０が作成できた。
【００４９】
また、作成したイーゼル１０の重量は２００〜３００ｇと軽量で、従来の携帯用イーゼルやカメラ用三脚とは比較にならないほど軽量であるため、水彩等で描くスケッチ旅行等の野外に携帯する際、その展開／収納の操作性が最も良い小型軽量のイーゼル１０を提供することができる。特に軽量化と強度を両立させるため、パイプ構造やカーボン材等の軽量で強靭な材料を選択して作成しても良い。尚、棒バネ３０，３１，３２の太さや反発力と固定バネ８の弾性力は、使用する画板８０のサイズや用途に応じて適切に選択されるため、本発明を制限するものではない。
【００５０】
図４はイーゼル１０をスケッチ旅行等の野外に携帯する際、イーゼル１０に付加部品を取り付けることで利便性と汎用性を高める構成を示すものである。
【００５１】
イーゼル脚の長さを延長する付加部品について説明する。第一の延長手段として、延長棒４０は載置されたスケッチブック等の画板８０を簡単に傾斜させるための付加部品で、イーゼル脚１，２，３のいずれの先端部にも取り付けが可能であり、例えば延長棒４０の接続部４０ａを、イーゼル脚１の保護キャップ７ａを外した先端部に差し込んで固定し、取外した保護キャップ７ａを延長棒４０の先端に取り付けて使用する。最初に設置したイーゼル１０の状態のまま、画板８０を傾斜させる場合に使用する。
【００５２】
次にイーゼル脚の長さを延長する第二の延長手段として、描画する位置を高くするためイーゼル脚１，２，３の下部の長さを任意に延長する延長脚４１，４２，４３の構成と機能について説明する。イーゼル脚１に取り付ける延長脚４１は、イーゼル脚１の外周と同一か、僅かに大きい内周を持つ同一形状の中空パイプからなり、イーゼル脚１を挿入する延長脚４１の先端部は、数箇所に縦方向のスリットを設け、且つ先端方向に向かってラッパ状に拡張した挿入部４１ａを有する。
【００５３】
任意の位置に固定するため、延長脚４１の挿入部４１ａには複数のスリットを設けて、先端をラッパ状に拡張した構造となっている。該ラッパ状の挿入部４１ａを窄めてイーゼル脚１の表面に圧接し固定する拘束筒４１ｂが、延長脚４１の外側に挿入されている。該拘束筒４１ｂには、固定位置から簡単にズレ落ちないように延長脚４１ａに嵌合された密着コイルバネで形成された摺動バネ４１ｃと、拘束筒４１ｂの移動範囲を制限する密着コイルバネで形成されたストップバネ４１ｄが延長脚４１ａに嵌合し固定されている。
【００５４】
イーゼル脚１の長さを延長する場合は、延長脚４１を固定していた拘束筒４１ｂと摺動バネ４１ｃをストップバネ４１ｄの位置まで移動させると、ラッパ状の挿入部４１ａが開放され延長脚４１は軸方向に移動可能となる。イーゼル脚１を延長し所望の長さに達した所で拘束筒４１ｂを挿入部４１ａの先端まで移動させると、ラッパ状の挿入部４１ａが窄まり、イーゼル脚１に挿入部４１ｃが圧接されて固定する構造となっている。
【００５５】
例えばイーゼル脚１の延長脚４１のみ延長した場合、イーゼル脚１を上方に引き上げると、上述した延長棒４０を連結した状態と同じ様に、画板８０を傾斜させて載置することができる。
【００５６】
延長棒４０と延長脚４１は、イーゼル脚１の長さを変更することを目的とする延長手段であり、連結される位置が異なるだけで同一の構造であっても良い。
【００５７】
尚、イーゼル脚が備える延長手段の固定方法として、パイプ構造のイーゼル脚１に挿入する延長脚４１の先端に固定された偏心回転構造のカムが形成された偏心軸材に、歯状溝が刻まれた偏心回転スリーブを回転可能に嵌合し、所望の長さに達した所で延長脚４１を回転させると偏心回転スリーブが圧着され係止できる回転偏心嵌止構造がある。またイーゼル脚１のスリットが切られた先端部に雄ネジを形成し、内側にテーパー状に雌ネジが形成された拘束筒を回転可能に嵌合し、拘束筒を回転させることでイーゼル脚１のスリットが切られた先端部が絞り込まれ、中に挿入された延長脚４１を圧着し固定する方法など多種多様な構造があり、本実施例のイーゼル脚が備える延長手段の固定方法を制限するものではない。
【００５８】
載置金具４５は、載置される画板８０を保持するためのＬ字形状の構造を持ち、Ｌ字形状の一辺にはイーゼル脚の先端部を挿入できる貫通孔４６が形成され、イーゼル脚に取り付けた際、直角に突き出した他方の一辺に画板８０を載置する構造となっている。載置金具４５を使用する場合、例えば画板８０を傾斜して設置するには、イーゼル脚１に取り付けられる延長棒４０に載置金具４５ａを逆Ｌ字状に取り付けることで、画板８０を上方から抑える機能を持たせ、他のイーゼル脚２，３にはＬ字状に取り付けた載置金具４５ｂ，４５ｃが下方から画板８０を支持するように設置する（図５ａ参照）。
【００５９】
載置金具４５は、必要に応じてイーゼル脚と同数まで取り付けることが可能で、イーゼル脚１，２，３の上部先端は取り付けられる保護キャップ７の長さとこの載置金具４５の長さを加えた間隔を予め計算して、通し孔４，５，６の穿孔位置が決められている。尚、載置金具４５の形状はＬ字形状や鉤状等の多種多様であり、本実施例では画板８０を保持するため最適な形状で説明したものであり、本実施例の載置金具４５の形状を限定するもではない。
【００６０】
固定具２５は、突風や衝突なで画板８０が飛散しないように固定する付加部品で、引張バネで形成された牽引バネ２５ａの一方の端部に画板８０を挟むクリップ２５ｃをリング２５ｂで取り付け、他方の端部を中心拘束部材の固定クランプ２０または開口制限リング２２に着脱可能に取り付けるリング２５ｄを有する構造となっている。スケッチ等でイーゼル１０を使用する際、二個または三個の固定具２５が取り付けられ、傾斜した画板８０を上方から抑える場合は、イーゼル脚１に継ぎ足された延長棒４０の両脇から画板８０の縁を抑えることができる二叉フック２６を、クリップ２５ｃの代わりに取り付けることもできる。また載置する画板８０のサイズが大きい場合や載置物が多角形等の複雑な形状の場合には、その形状に合わせて複数の固定具２５を取り付けクリップ２５ｃで挟んで保持することもできる。
【００６１】
水彩画を描く際に必要な水入れ５１を設置する吊下げ金具５０は、両端部５０ａ，５０ｂを鉤状に成形したねじりコイルバネに、吊下げ用フック５０ｃを取り付けた構成となっている。牛乳パックやペットボトル等を利用して作成した水入れ５１は、その縁の二箇所に穿孔した吊下げ穴５１ａ，５１ｂに吊下げ金具５０のねじりコイルバネの両端部５０ａ，５０ｂを圧縮して挿入し、ねじりコイルバネの復元力を利用して係止する。吊下げ金具５０を装着した水入れ５１は、吊下げ用フック５０ｃを開口制限リング２２または固定具２５のリング２５ｄに掛けて係止する（図５ａ参照）。
【００６２】
複数の水を入れた水入れ５１を吊下げる効果として、展開したイーゼル１０の重石として利用し、不意に吹く風でイーゼル１０が転倒するのを防止する効果を発揮させることができる。またイーゼル１０の転倒を防止する他の方法として、固定クランプ２０または開口制限リング２２に取り付けられた固定具２５に、クリップ２５ｃの代わりにペグ２７を取り付けて、該ペグ２７を地面に差し込み固定することもできる。
【００６３】
図５は、イーゼル１０の使用例を具体的に示した図である。図５（ａ）に示すように、図４の説明で述べた付加部品を取り付けて展開したイーゼル１０の構成で、延長棒４０と載置金具４５で画板８０を傾斜させて載置し、画板８０の両端を二個の固定具２５のクリップ２５ｃで挟んで安定させた状態である。野外でスケッチや水彩画を描く際、不意に吹く風による画板８０の飛散、或いは転倒を防ぐため、中心拘束部材の固定クランプ２０または開口制限リング２２に係止した固定具２５のクリップ２５ｃで画板８０の両側を挟んで固定し、中心拘束部材に吊下げた水入れ５１を重石として利用することで画板８０を安定した状態に保つことができる。
【００６４】
図５（ｂ）、図（ｃ）は、中央部分が拘束された複数のイーゼル脚を一葉双曲面状に展開したイーゼル１０の持つ独特の構造を利用した使用例である。図５（ｂ）は五本のイーゼル脚１，２，３，４，５を展開し、水平に渡された棒バネ３０，３１，３２，３３，３４または保護キャップ７ａ，７ｂ，７ｃ，７ｄ，７ｅ上に多角形、または円形等の天板を載置し、花瓶や彫刻物等の美術工芸品を置く台座として利用することができる。
【００６５】
図５（ｃ）は、同じく展開したイーゼル１０を、水平に渡された棒バネ３０，３１，３２，３３，３４にポスターや絵画等のパネル、またはネックレスやブローチ等の宝飾品を吊下げて展示する広告台として使用することができる。イーゼル脚の長さや脚数を増やすことで、イーゼル１０の一葉双曲面状に展開する独特の構造を利用して、様々な用途に使用できる汎用性と利便性を備えたイーゼル１０を提供することができる。
【００６６】
以上、本実施例のイーゼルは、水彩等を使ったスケッチを気軽に野外で行えるように、特に問題となるイーゼルの重量を軽量化し、何処でも簡単に組み立て可能で、中央部分が拘束された複数のイーゼル脚を展開してスケッチブックやカンバス等の画板を安定して載置することができる。また画板を載置する角度も簡単に調整することが可能で、収納した際の形状が棒状になるため場所を取らず携帯に便利な小型軽量のイーゼルを提供することができる。
【００６７】
更に、中央部分が拘束された複数のイーゼル脚を展開した際の独特の構造を利用して、隣り合うイーゼル脚を連結する棒バネにポスターや絵画等のパネルまたは宝飾品を吊下げて展示する広告台や、天板を載置して造花や生け花等を入れる花瓶や彫刻等の美術工芸品を置くことができる台座として利用可能な汎用性を備えたイーゼルを提供することができる。
【符号の説明】
【００６８】
１      イーゼル脚
２      イーゼル脚
３      イーゼル脚
４      イーゼル脚
５      イーゼル脚
７      保護キャップ
８      固定バネ
９      石突き
１０    イーゼル
２０    固定クランプ（中心拘束部材に対応）
２１    開口制限リング（中心拘束部材に対応）
２２    開口制限リング（中心拘束部材に対応）
２３    調整金具
２３ａ  延長ノブ
２３ｂ  連結帯
２５    固定具
２６    二叉フック
２７    ペグ
３０    棒バネ
３１    棒バネ
３２    棒バネ
３３    棒バネ
３４    棒バネ
４０    延長棒（延長手段に対応）
４１    延長脚（延長手段に対応）
４５    載置金具
４６    貫通孔
５０    吊下げ金具
５１    水入れ
８０    画板
Ｆ      拘束力
Ｇ      摩擦力
【要約】
【課題】携帯するイーゼルの重量を軽量化し、簡単に組み立て収納が可能でスケッチブックやカンバス等の画板を安定して載置することができ、また収納した際に場所を取らない小型軽量のイーゼルを提供することを目的とする。
【解決手段】画板８０または天板を載置するイーゼル１０であって、棒形状の複数のイーゼル脚１，２，３と、該イーゼル脚の中心軸に対し垂直で、且つ所定の位置に貫通させた複数の通し孔４，５，６と、該通し孔に挿入して前記イーゼル脚を連結する線材で形成された複数の棒バネ３０，３１，３２と、複数のイーゼル脚１，２，３の中央部分を拘束する中心拘束部材２０，２１とを有し、複数のイーゼル脚を展開する際、複数の棒バネが凸状に湾曲することにより複数のイーゼル脚が相互に連結固定されることを特徴とするイーゼル。
【選択図】図１【図１】
0004740402.tif 000002
【図２】
0004740402.tif 000003
【図３】
0004740402.tif 000004
【図４】
0004740402.tif 000005
【図５】
0004740402.tif 000006
【図６】
0004740402.tif 000007